(57)【要約】【課題】未使用時には極力偏平な状態をとることができる一方で、実際の使用時には指挿入部に対してスムーズに指を挿入することができ、しかも安価で使い捨て用途に適した使い捨て拭き取り具を提供する。【解決手段】紙製の下面材１０ｂと上面材１０ａとをその周縁領域（１６，１７）において部分的に接合することにより、下面材及び上面材間に、未使用時には下面材１０ｂと上面材１０ａとがほぼ接触して偏平な状態となる指挿入部Ｓ１，Ｓ２を形成する。そして、各指挿入部Ｓ１，Ｓ２の入口を構成する前記上面材の開口縁１１付近に、指挿入部内に指を挿入し易くするためのタブ部Ｔを設ける。タブ部Ｔは、指挿入時のガイドとして機能する。【選択図】　　　図２
2004113601.tif 000002
【特許請求の範囲】
【請求項１】
指挿入部を備えた使い捨て拭き取り具であって、
吸液性に優れた素材で作られた下面材と上面材とをその周縁領域において部分的に接合することにより、前記下面材及び上面材間に、未使用時には下面材と上面材とがほぼ接触して偏平な状態となる指挿入部を形成すると共に、前記指挿入部の入口を構成する前記上面材の開口縁付近に、指挿入部内に指を挿入し易くするためのタブ部を設けたことを特徴とする使い捨て拭き取り具。
【請求項２】
前記上面材の開口縁の少なくとも端部付近に、上面材と下面材とを切り離すべく指挿入方向に延びる切り込みを確保することにより、前記上面材の一部を前記タブ部として構成したことを特徴とする請求項１に記載の使い捨て拭き取り具。
【請求項３】
指挿入部を備えた使い捨て拭き取り具であって、
吸液性に優れた平らな紙材を所定の折り線に沿って折り曲げ、その紙材のうちの下面材となる部分と上面材となる部分とをその周縁領域において部分的に接着することにより、前記下面材及び上面材間に、未使用時には下面材と上面材とがほぼ接触して偏平な状態となる指挿入部を形成すると共に、
前記指挿入部の入口を構成する前記上面材の開口縁に連なる指挿入方向に沿った紙材の側辺の一部において、前記下面材と上面材とを非接着とすることで指挿入方向に延びる切り込みを確保することにより、前記上面材の開口縁付近に、当該上面材の一部である指挿入部内に指を挿入し易くするためのタブ部を設けたことを特徴とする使い捨て拭き取り具。
【請求項４】
指挿入部を備えた使い捨て拭き取り具であって、
吸液性に優れた素材で作られた下面材と上面材とをその周縁領域において部分的に接合することにより、前記下面材及び上面材間に、未使用時には下面材と上面材とがほぼ接触して偏平な状態となる指挿入部を形成したことを特徴とする使い捨て拭き取り具。
【請求項５】
前記指挿入部の内側を構成する前記下面材の上面側及び前記上面材の下面側に、防液のための皮膜を形成したことを特徴とする請求項１，２，３又は４に記載の使い捨て拭き取り具。
【発明の詳細な説明】
【０００１】
【発明の属する技術分野】
本発明は指挿入部を備えた使い捨て拭き取り具の改良に関する。
【０００２】
【従来の技術】
日常生活において人の身体や物を洗浄、清掃又は乾燥するための拭き取り具として、トイレットペーパー、ワイプ、ペーパータオル、ペーパーナプキンの類が使用されている。これらは通常、単純な方形状に形成されており、使用時には使用者自身が、折り曲げたり重ねたりする等して使い方を工夫する必要がある。特に従来の拭き取り具には、取っ手に相当する部位が存在しなかったため、手に馴染んだ状態で掴んだり握ったりすることが難しかった。このような欠点を解決するために、拭き取り具の上面側にトンネル状又はポケット状の指挿入部を設け、その指挿入部に指を差し込むことで拭き取り具を把持し易くしたものが提案されている（例えば、特許文献１及び２参照）
【０００３】
【特許文献１】
特開２００２−１５９４１６号公報（要約、図１〜３，６及び７）
【特許文献２】
実用新案登録第３０７１３２０号公報（要約、図１及び図２）
【０００４】
【発明が解決しようとする課題】
しかしながら、従来のトンネル状又はポケット状の指挿入部付き拭き取り具にもいくつかの欠点があった。例えば、指挿入部に外から指を挿入し易くするためには、拭き取り具の吸水性本体部と、その上面側に指挿入部を構成すべく設けられたカバー材との間にある程度の隙間や空間を確保し、未使用時でも指挿入部の入口が予め開いた状態にしておく必要があった。例えば上記特許文献２の図２では、指ポケットの入口部分を大きく開口させている。もしも指ポケットの入口部分を予め大きく開口させなかったならば、指挿入部への指通しが困難になり、利便性が低下したであろう。しかし、その代償として、従来の指挿入部付き拭き取り具は、無視できない厚み又は膨らみを持つことになる。それ故、複数の拭き取り具を積層配置してパッケージ包装するような場合に、指挿入部内の隙間や空間を押し潰さないように配慮する必要が生じ、包装面での技術的及びコスト的課題を生じてしまう。
【０００５】
本発明の目的は、未使用時には極力偏平な状態をとることができる使い捨て拭き取り具を提供することにある。また、未使用時には極力偏平な状態をとることができる一方で、実際の使用時には指挿入部に対してスムーズに指を挿入することができ、しかも安価で使い捨て用途に適した使い捨て拭き取り具を提供することにある。
【０００６】
【課題を解決するための手段】
請求項１の発明は、指挿入部を備えた使い捨て拭き取り具であって、吸液性に優れた素材で作られた下面材と上面材とをその周縁領域において部分的に接合することにより、前記下面材及び上面材間に、未使用時には下面材と上面材とがほぼ接触して偏平な状態となる指挿入部を形成すると共に、前記指挿入部の入口を構成する前記上面材の開口縁付近に、指挿入部内に指を挿入し易くするためのタブ部を設けたことを特徴とする使い捨て拭き取り具である。
【０００７】
請求項２の発明は、請求項１に記載の使い捨て拭き取り具において、前記上面材の開口縁の少なくとも端部付近に、上面材と下面材とを切り離すべく指挿入方向に延びる切り込みを確保することにより、前記上面材の一部を前記タブ部として構成したことを特徴とする。
【０００８】
請求項３の発明は、指挿入部を備えた使い捨て拭き取り具であって、吸液性に優れた平らな紙材を所定の折り線に沿って折り曲げ、その紙材のうちの下面材となる部分と上面材となる部分とをその周縁領域において部分的に接着することにより、前記下面材及び上面材間に、未使用時には下面材と上面材とがほぼ接触して偏平な状態となる指挿入部を形成すると共に、前記指挿入部の入口を構成する前記上面材の開口縁に連なる指挿入方向に沿った紙材の側辺の一部において、前記下面材と上面材とを非接着とすることで指挿入方向に延びる切り込みを確保することにより、前記上面材の開口縁付近に、当該上面材の一部である指挿入部内に指を挿入し易くするためのタブ部を設けたことを特徴とする使い捨て拭き取り具である。
【０００９】
請求項４の発明は、指挿入部を備えた使い捨て拭き取り具であって、吸液性に優れた素材で作られた下面材と上面材とをその周縁領域において部分的に接合することにより、前記下面材及び上面材間に、未使用時には下面材と上面材とがほぼ接触して偏平な状態となる指挿入部を形成したことを特徴とする使い捨て拭き取り具である。
【００１０】
なお、「指挿入部を備えた使い捨て拭き取り具であって、吸液性に優れた平らな紙材を所定の折り線に沿って折り曲げ、その紙材のうちの下面材となる部分と上面材となる部分とをその周縁領域において部分的に接着することにより、前記下面材及び上面材間に、未使用時には下面材と上面材とがほぼ接触して偏平な状態となる指挿入部を形成した使い捨て拭き取り具」としてもよい。
【００１１】
請求項５の発明は、請求項１，２，３又は４に記載の使い捨て拭き取り具において、前記指挿入部の内側を構成する前記下面材の上面側及び前記上面材の下面側に、防液のための皮膜を形成したことを特徴とする。
【００１２】
（作用等の補足説明）
本発明の使い捨て拭き取り具によれば、未使用時には、指挿入部を構成する下面材と上面材とがほぼ接触して、指挿入部を含む拭き取り具の全体が偏平な状態に保たれる。このため、例えば複数の拭き取り具を積層配置してパッケージ包装するような場合にも嵩張らず、効率的な包装が可能となる。他方、上面材の開口縁付近にタブ部を設けたことで、使用時には、そのタブ部を、例えば斜め上方に起立させて指の先端部を引っ掛かり易くする等してそのタブ部を指挿入ガイドとして機能させることで、偏平な指挿入部に対しても指を挿入し易くすることができる。つまり、本発明によれば、未使用時には極力偏平な状態を保って嵩張らないようにしておくこととと、指挿入部に指を差し込むことで拭き取り具を把持し易くするという利便性とを見事に両立させることができる。
【００１３】
また、前記指挿入部の内側に防液のための皮膜を形成した場合には、拭き取り具の使用時に浸透してくる水分や油分を遮断でき、指挿入部内にある指が水分や油分で濡れたり汚れたりするのを防止することができる。
【００１４】
本発明の使い捨て拭き取り具において、下面材の指挿入方向への長さ（全長）が上面材の指挿入方向への長さよりも長くなっていることは好ましい。また、各指挿入部の幅が、少なくとも１本の指を挿入可能な幅に設定されていることは好ましい。
【００１５】
なお、本明細書において「吸液性」とは、水や油等の液体を吸収する性質（つまり吸水性や吸油性）をいう。また、「防液」とは、水や油等の液体の浸透を完全に遮断する場合のみならず、水や油等の液体の浸透速度を遅延させることで、短時間での使い捨て使用にあっては実質的に水や油等の液体を遮断するに等しい効果を生む場合をも含む意味である。
【００１６】
【発明の実施の形態】
以下、本発明の実施形態を図面を参照して説明する。
図１〜図６は最も基本的な使い捨て拭き取り具を示す。この拭き取り具の構成素材は図１（Ａ）に示すような平らな紙材１０である。紙材１０は、上辺１１、下辺１２、左側辺１３及び右側辺１４からなる平面長方形状をなしている。この紙材１０は、好ましくは吸水性に優れたパルプ１００％の紙からなる。ちなみに台所用の使い捨て紙タオル（いわゆるキッチンタオル）として市販されている紙製品を本実施形態の紙材１０として使用してもよい。あるいは、紙材１０としてクレープ紙等の吸油性に優れた紙を用いてもよい。
【００１７】
平面長方形状の紙材１０の表裏両面のうちの一方の面には防液加工が施されている。具体的には図１（Ｂ）に示すように、紙材１０の表側面に対して、市販の防水又は撥水用スプレーを噴霧することにより当該表側面の表層に防水性の被膜１５を形成している。使用可能な市販の防水又は撥水用スプレーとしては、シリコン樹脂をアルコール分散しこれを炭酸ガスを噴射剤としてスプレー缶に封入したものがあげられる（例えば、住友スリーエム株式会社製商品名：スコッチガード防水スプレー）。かかる防水又は撥水用スプレーによれば、紙材１０にスプレーを噴射後２０分程度乾燥させることでシリコン樹脂が造膜し、防水又は撥水効果を発揮する皮膜１５が紙材１０の表側面に形成される。なお、防水又は撥水用スプレーを用いる代わりに、洗濯糊等の糊を水に溶かして適度な粘度に調整した溶液を紙材１０の表側面に塗布し乾燥することで、糊のでんぷん質からなる防水性の被膜１５を形成してもよい。
【００１８】
図１（Ａ）に示すように、前記被膜１５が形成された紙材１０の表側面には、左右両側辺１３，１４に沿った領域及びそれらの中間領域において、糊代１６，１７及び１８が確保されている。これらの糊代１６，１７及び１８は紙材１０の長手方向に延びる幅細な糊代（例えば２〜７ｍｍ幅）であるが、各糊代の上端は上辺１１にまでは達しておらず、各糊代の上端と上辺１１との間には、例えば５〜１０ｍｍ程度の間隔があけられている。尚、各糊代の下端と下辺１２との間には２０ｍｍ以上（例えば３０〜４０ｍｍ程度）の間隔があけられている。
【００１９】
紙材１０表面側の糊代１６，１７及び１８に接着剤を施した後、各糊代の長手方向中間位置において幅方向に設定された折り線Ｌに沿って紙材１０を折り曲げる。紙材１０のうち前記折り線Ｌよりも上の部分を上面材１０ａと呼び、前記折り線Ｌよりも下の部分を下面材１０ｂと呼ぶものとすると、紙材１０を折り線Ｌに沿って折り曲げ、下面材１０ｂに対し上面材１０ａを折り重ねることで、上面材１０ａ及び下面材１０ｂが糊代１６，１７及び１８において部分接着される。その結果図２及び図３に示すように、上面材１０ａと下面材１０ｂとの間には、紙材１０の下辺１２に近い側に入口を持つ二つの指挿入部Ｓ１，Ｓ２が形成される。つまり紙材１０の上辺１１が、各指挿入部Ｓ１，Ｓ２の入口を構成する上面材１０ａの開口縁となる。各指挿入部Ｓ１，Ｓ２は、指が挿入されない未使用時には、上面材１０ａと下面材１０ｂとがほぼ接触して偏平な状態を保つ。また、各指挿入部Ｓ１，Ｓ２の内側面は、前記防水性皮膜１５によって構成される。
【００２０】
前述のように、接着前に糊代１６，１７及び１８の各上端と上辺１１との間に所定間隔をあけることで、上面材１０ａの上辺１１付近に非接着領域を設けた結果、下面材１０ｂに上面材１０ａを接着後は、紙材１０の左右両側辺１３，１４の一部及び糊代１８と開口縁１１との間に、指挿入方向に沿って延びる切り込みＫがそれぞれ確保される。この切り込みＫは上面材１０ａの開口縁（１１）に連なる。そして、指挿入部の入口を構成する上面材１０ａの開口縁１１付近には、上面材１０ａの開口縁１１並びに左側辺１３の切り込みＫ及び右側辺１４の切り込みＫによって囲まれるようにして、指挿入部内に指を挿入し易くするためのタブ部Ｔが形成される。このタブ部Ｔは、上面材１０ａの一部分であり、幅方向に長い（即ち横長な）舌片形状をなす。
【００２１】
かかる使い捨て拭き取り具を使用する際には、例えば図４に示すように、上面材１０ａの開口縁付近に設けられたタブ部Ｔを、斜め上方に起立させて指の先端部を引っ掛かり易くする。そして、その斜め上方に起立したタブ部Ｔの下側に例えば人差指及び中指を潜り込ませ、そのまま指挿入部Ｓ１，Ｓ２内にそれぞれの指を挿入する。この際、タブ部Ｔが指挿入ガイドとして機能することにより、それまでほぼ密接していた上面材１０ａと下面材１０ｂとが指の挿入に伴って次第に離間され、各指挿入部Ｓ１，Ｓ２が膨らみを増す（図５及び図６参照）。このように指挿入部Ｓ１，Ｓ２の入口にタブ部Ｔが存在することで、使用前には偏平な指挿入部に対しても指をスムーズに挿入することが可能となる。
【００２２】
各指挿入部Ｓ１，Ｓ２に指挿入完了後は、その二本の指で把持した拭き取り具における下面材１０ｂの下側面を拭き取り面として、人の身体（例えばお尻）や物の表面を拭き取ることができる。尚、各指挿入部Ｓ１，Ｓ２の内側面には防水性皮膜１５が形成されているので、使用時においてもその防水性皮膜１５によって、下面材１０ｂを浸透してくる水分が効果的に遮断され、指挿入部に差し込んだ指が水分で濡れたり汚されたりすることがない。
【００２３】
このように本実施形態の使い捨て拭き取り具によれば、タブ部Ｔを設けたことで各指挿入部Ｓ１，Ｓ２に指が挿入し易くなると共に、各指挿入部Ｓ１，Ｓ２に挿入した指で拭き取り具を確実に把持することができる。また、未使用時には、指挿入部Ｓ１，Ｓ２を構成する下面材１０ｂと上面材１０ａとがほぼ接触して指挿入部を含む拭き取り具の全体が偏平な状態に保たれるため、例えば複数の拭き取り具を積層配置してフィルムでパッケージ包装するような場合にも嵩張らず、効率的な包装が可能となる。即ち、未使用時には極力偏平な状態を保って嵩張らないようにしておくこととと、指挿入部に指を差し込むことで拭き取り具を把持し易くするという利便性とを両立させることができる。
【００２４】
（変更例）本発明の実施形態を以下のように変更してもよい。
図７（Ａ）に示すように、中央の糊代１８の長さを左右の糊代１６，１７よりも短くすると共に、上面材１０ａの開口縁１１を上中央に向けて略円弧状に湾曲させて、三日月状のタブ部Ｔを構成してもよい。また図７（Ｂ）に示すように、図７（Ａ）の拭き取り具の略円弧状に湾曲した開口縁１１から左右一対の突片２１，２２（これらはタブ部Ｔの一部となる）を突出形成し、指の引っ掛かりを更に容易にしてもよい。
【００２５】
図７（Ｃ）に示すように、中央の糊代１８の長さを左右の糊代１６，１７よりも長くすると共に、各指挿入部Ｓ１，Ｓ２の入口を構成する上面材１０ａの開口縁１１を下中央に向けて略円弧状に湾曲させて、山形のタブ部Ｔを構成してもよい。また、図７（Ｄ）に示すように、拭き取り具の先端部（図では上端部）を左右に膨出させると共に、その先端部の周縁に沿って糊代１６，１７及び１８を連結することにより、奧に拡がった指挿入部Ｓ１，Ｓ２を構成してもよい。この場合には下面材１０ｂにおける拭き取り面積が拡大する。
【００２６】
図８（Ａ）に示すように、上面材１０ａ及び下面材１０ｂの幅を更に拡大すると共に４つの糊代１６，１７，１８及び１９を設けることで、拭き取り具に３つの指挿入部Ｓ１，Ｓ２及びＳ３を形成してもよい。更には図８（Ｂ）に示すように、３つの指挿入部Ｓ１，Ｓ２及びＳ３を持つ拭き取り具において、隣り合う二つの指挿入部間の先端部寄り位置において逆三角形状の切り欠き２３，２４を形成すると共に、各指挿入部の先端周縁に沿って糊代１６，１７，１８及び１９を相互連結してもよい。この構成によれば、各指挿入部の先端形状が指の形に沿ったものとなる。
【００２７】
上記実施形態及び各変更例において、指挿入部の各々の幅を、２本以上の指を挿入可能な幅に設定してもよい。
【００２８】
上記実施形態及び各変更例では、下面材１０ｂの全長を指の先端から付け根までの長さ相当としたが、下面材１０ｂの全長を更に延ばして下面材１０ｂの露出した上面に手の平の全部又は一部が接触可能な程度としてもよい。そして、下面材１０ｂの全体を指及び前記手の平の全部又は一部で上から押えながら、下面材１０ｂの下面全体で拭き取り作業を行うようにしてもよい。
【００２９】
【発明の効果】
以上詳述したように本発明の使い捨て拭き取り具によれば、未使用時には極力偏平な状態をとることができ、安価で使い捨て用途に適した拭き取り具とすることができる。また、タブ部を設けたことで、未使用時には極力偏平な状態をとることができる一方で、実際の使用時には指挿入部に対してスムーズに指を挿入することができ、安価で使い捨て用途に適した拭き取り具とすることができる。即ち、未使用時には極力偏平な状態を保って嵩張らないようにしておくこととと、指挿入部に指を差し込むことで拭き取り具を把持し易くするという利便性とを見事に両立させることができる。
【図面の簡単な説明】
【図１】（Ａ）は紙材を接着する前の展開図、（Ｂ）は防液加工後の紙材の層構造を示す拡大断面図。
【図２】図１の紙材を用いた使い捨て拭き取り具の一例を示す平面図。
【図３】図２の拭き取り具の拡大側面図。
【図４】拭き取り具に指を差し入れるときを示す側面図。
【図５】指差し入れ後の拭き取り具の平面図。
【図６】図５の矢印Ａ方向から見たときの正面図。
【図７】（Ａ）〜（Ｄ）は使い捨て拭き取り具の変更例を示す平面図。
【図８】（Ａ）及び（Ｂ）は使い捨て拭き取り具の変更例を示す平面図。
【符号の説明】
１０…紙材、１０ａ…上面材、１０ｂ…下面材、１１…紙材の上辺（上面材の開口縁）、１２…紙材の下辺、１３，１４…紙材の左及び右側辺、１５…被膜、１６〜１９…糊代、Ｋ…切り込み、Ｌ…折り線、Ｓ１，Ｓ２，Ｓ３…指挿入部、Ｔ…タブ部。
【図１】
2004113601.tif 000003
【図２】
2004113601.tif 000004
【図３】
2004113601.tif 000005
【図４】
2004113601.tif 000006
【図５】
2004113601.tif 000007
【図６】
2004113601.tif 000008
【図７】
2004113601.tif 000009
【図８】
2004113601.tif 000010